(57)【要約】      （修正有）【課題】スクリーンの作動装置とそれを装備したガラス窓。【解決手段】作動装置は、スクリーン（３）に直接触れることなく動かさねばならず、特に、断熱の窓の窓ガラスの間の内部空間に配置されていて、作動力が、どのような機械的な接触無しに、外部駆動要素（１１、１１’）から内部駆動要素（１３、１３’）に伝達されてもよく、外部駆動要素（１１、１１’）は、内部駆動要素（１３、１３’）を回転させる又はスライドさせるために、受動式の内部駆動要素（１３、１３’）に作用する、回転又は進行波の電磁界を発生するための駆動装置（１２、１２’）を包含する。この作動装置は又、個々のガラスを嵌めこんだユニットの窓ガラスの間の内部空間に、電動モータを取付けること無しに、断熱のガラスを嵌めこんだユニットの中の、複数のスクリーン又はスラットベネチャンブラインドを、集中制御するのに適している。【選択図】      図１
2006016963.tif 000002
【特許請求の範囲】
【請求項１】
スラット（５）とカーテンのような、スクリーン（３）のための作動装置であって、作動装置は、スクリーン（３）に直接触れることなく動かさねばならず、特に、断熱の窓の窓ガラスの間の内部空間に配置されていて、装置の作動力が、どのような機械的な接触も無しに、外部駆動要素（１１、１１’）から、スクリーンに連結された内部駆動要素（１３、１３’）に伝達できる作動装置において、該外部駆動要素（１１、１１’）が、該内部駆動要素（１３、１３’）を回転させる又はスライドさせるために、連結した該内部駆動要素（１３、１３’）に作用する回転又は進行波の電磁界を発生するための駆動装置（１２、１２’）を具備することを特徴とするスクリーン（３）のための作動装置。
【請求項２】
該外部駆動要素（１１）が、リバーシブルな、好ましくは面内で回転磁界を発生させる構造となっていることと、該内部駆動要素（１３）が、この回転磁界の軸とほぼ同一な軸となっている回転軸（１３Ａ）に設置されることとを特徴とする、請求項1に記載の作動装置。
【請求項３】
該外部駆動要素（１１’）が、線形に伝播するリバーシブルな、進行波磁界を発生させる構造となっていることと、該内部駆動要素（１３’）が、この進行波磁界にほぼ平行な線に沿って、スライドするように設置されることとを特徴とする、請求項1に記載の作動装置。
【請求項４】
該回転磁界又は該進行波磁界が、三相非同期モータの原理に従って、該外部駆動要素（１１、１１’）で生み出されることと、該内部駆動要素（１３、１３’）が、少なくとも一つの短絡ロータを包含することとを特徴とする、請求項1から3のいずれか一項に記載の作動装置。
【請求項５】
該回転磁界又は該進行波磁界が、ステッピングモータの原理に従って、該外部駆動要素（１１、１１’）で生み出されることと、該内部駆動要素（１３、１３’）が、少なくとも一つの、永久磁石化又は電磁石を包含することとを特徴とする、請求項1から4のいずれか一項に記載の作動装置。
【請求項６】
独立した電源供給が、該内部駆動要素のために、詳細にはそれを充電するための蓄電池と光電池が用意されることを特徴とする、請求項5に記載の作動装置。
【請求項７】
二つの駆動要素（１１、１１’と１３、１３’）が、ガラス窓（１）の二つの側面に、詳細には断熱のガラスを嵌めこんだユニットの個々の窓ガラスの二つの側面に、設置されることを特徴とする、請求項1から6のいずれか一項に記載の作動装置。
【請求項８】
二つの駆動要素（１１’と１３’）が、窓枠（２）の二つの側面に、詳細には断熱のガラスを嵌めこんだユニットのスペーサフレームの二つの側面に、そして好ましくは該スクリーンのほぼ面内に設置されることを特徴とする、請求項1から7のいずれか一項に記載の作動装置。
【請求項９】
該進行波磁界が、垂直の又は斜めの又は水平の線に沿って発生することを特徴とする、請求項1から8のいずれか一項に記載の作動装置。
【請求項１０】
該回転磁界又は該進行波磁界を発生させるための、該外部駆動要素（１１，１１’）とその装置（１３，１３’）とを駆動させるために、電気的な制御装置（１５）を有する、請求項1から9のいずれか一項に記載の作動装置。
【請求項１１】
該制御装置（１５）が、集合的に又は個別に制御するように、数個の駆動要素（１１、１１’）と同時に接続されていることを特徴とする、請求項10に記載の作動装置。
【請求項１２】
少なくとも一つの、検出器の形をしているスイッチング部材（１６）又はタイマ又はそのような物が、該第一駆動要素（１１、１１’）とその装置（１２，１２’）を自動的に制御するために、該制御装置（１５）に接続されることを特徴とする、請求項10又は11に記載の作動装置。
【請求項１３】
該内部駆動要素（１３、１３’）が、該スクリーン（３）又はそのスラット（５）に、直接的に又はギアを介して連結されることを特徴とする、請求項1から12のいずれか一項に記載の作動装置。
【請求項１４】
該スクリーン（３）が、スラットベネチアンブラインドから構成されていて、スラットベネチアンブラインドの該内部駆動要素（１３’）が、該スラットを、傾ける及び／又は、水平に、斜めに又は垂直にスライドさせるために、該スラットと機械的に連結されることを特徴とする、請求項1から13のいずれか一項に記載の作動装置。
【請求項１５】
該内部駆動要素（１３’）が、進行波磁界によって駆動される数個のロータを包含していて、ロータが、毎回、数個のスラット（５）の少なくとも一つと連結することを特徴とする、請求項14に記載の作動装置。
【請求項１６】
スクリーン（３）と少なくとも一つの作動装置（１０）とを有する、ガラス窓（１）、詳細には断熱のガラスを嵌めこんだユニットであって、外部及び内部駆動要素（１１，１１’、１３、１３’）が、該ガラス窓（１）の又は該断熱のガラスを嵌めこんだユニットの個々の窓ガラスの、二つの側面に配置される、請求項1から15のいずれか一項に記載のガラス窓（１）、断熱のガラスを嵌めこんだユニット。
【請求項１７】
該スクリーン（３）と該内部駆動要素（１３、１３’）とが、断熱のガラスを嵌めこんだユニットの窓ガラスの間の内部空間に設置されることと、該外部駆動要素（１１、１１’）が、個々の窓ガラスの一つの表面に、又は該個々の窓ガラスの一つの側面に設置されることを特徴とする、請求項16に記載の断熱のガラスを嵌めこんだユニット。
【請求項１８】
該外部駆動要素（１１’）が、該ガラス窓（１）の窓枠（２）の上に又は中に設置されることを特徴とする、請求項16又は17に記載のガラス窓。
【請求項１９】
スクリーンのための、少なくとも一つのガイドレールを包含する窓枠（２）を有して組立てられることを特徴とする、請求項16から18のいずれか一項に記載のガラス窓。
【請求項２０】
複数の窓枠を有する、ビルへのガラスの嵌め込み、詳細には壁へのガラスの嵌め込みであって、請求項16から19のいずれか一項に記載のビルへのガラスの嵌め込み、壁へのガラスの嵌め込み。
【発明の詳細な説明】
【技術分野】
【０００１】
本発明は、請求項１の序文の特徴を持つ、スクリーンのための作動装置に関していて、それを装備したガラス窓及び／又はプラスチック窓に関する。
【背景技術】
【０００２】
用語「スクリーン」は、一般的に、外表面、詳細には窓の開口部を暗くする又は覆い隠すための構造となっている、ブラインド、ベネチアンブラインド、スラットブラインド、カーテン等のような、機械的に可動する装置を意味することを、ここでは理解されるべきである。ある応用例として、このようなスクリーンが、例えば、それらが使用者に接近できないように、ガラス窓の陰に及び／又は二つのガラス窓の間に置かれているならば、直接に（手動で）そこに接近すること無く、機械的に作動させなければならない。
【０００３】
特許文献１は、スクリーン又はスラットベネチアンブラインドのための関連性のある作動装置を教えていて、作動装置は、断熱のガラスを嵌めこんだユニットの窓ガラスの間の密閉された内部空間に設置されている。窓ガラスの間の内部空間に、スラットスクリーンのための機械的な駆動装置を制作しなければならないことを、（そしてまた、モータに供給するために、その中に電源ケーブルを導入しなければならないことを、）避けるために、そして窓ガラスの間の内部空間のシールの漏洩を無くすために、前記の特許は、永久磁石を備え付けて、断熱のガラスを嵌めこんだユニットの個々の窓ガラスの一つのどちら側にでも同軸配列にある、二つの回転駆動滑車を提供する。磁界が、このガラスを嵌めこまれたユニットを通過して、外部滑車を回転することによって内部滑車を運転することを可能にする。この内部滑車は、個々の窓ガラスに関して、垂直な軸の周りの駆動軸の回転モーメントを、窓ガラスに平行な軸の周りの回転に変換する傘歯車と連結されている。これは、スラットを前方及び後方に傾けることと、スラットスクリーンを上げ下げすることとを可能にする。
【０００４】
特許文献２は、同軸配置の二つの磁気滑車とカウンタギアを備えた、ほとんど同一構造の装置を開示していて、この作動装置はおそらくスラットを前後に傾けることのみが可能である。
【０００５】
特許文献３は、電気モータによって作動する内部ベネチアンブラインドを備えた断熱のガラスを嵌めこんだユニットを開示する。この公知の説明において、電気モータは、スペーサフレームの角部分に置かれたケースの中に設置される。このケースは、一般的にＬの形をしていて、その二つのそれぞれの端部で、スペーサフレームの結合箇所で、中空空間にシールする方法で導入することが出来るシーベルを含む。モータの電気コネクタが外部側に導入されて、（窓ガラスの間の内部空間に向かって）モータの駆動軸が内部側に導入されている。
【０００６】
特許文献４は、断熱のガラスを嵌めこんだユニットの中の、スラットを傾けることになっている作動装置を開示する。外部駆動磁石は、窓ガラスの間の内部空間に置かれた駆動磁石を動かすために、スライドする運動をさせる。それによって、クイックスタートネジ山を有するナットを介して、スラットを傾ける運動が生じる。
【０００７】
特許文献５は、外部磁石が、スラットを傾けるために又は上げ下げするために、スライドすることが出来る、別の変形を開示する。
【０００８】
【特許文献１】欧州特許第７４９５１４号明細書
【特許文献２】英国特許第９９５２２４号明細書
【特許文献３】欧州特許第３４５００７号明細書
【特許文献４】米国特許第５６９９８４５号明細書
【特許文献５】欧州特許第２４５８１１号明細書
【発明の開示】
【発明が解決しようとする課題】
【０００９】
本発明の根拠となる課題は、どのような外部作動部品も無しで、かつケーブルを導入することなく操作できる、前述のタイプとは別の作動装置を提供することであり、この装置を備えた断熱のガラスを嵌めこんだユニットを提供することである。
【課題を解決するための手段】
【００１０】
本発明に従って、この課題は、作動装置に関する請求項1の特徴によって解決された。独立請求項に従属する請求項の特徴は、本発明の利点である実施形態を表している。
【００１１】
本発明に従って、外部駆動要素が、回転（平面）電磁界又は進行波電磁界を発生させるための手段を包含し、その磁界が、内部駆動要素の変位のためにそこで整合した内部駆動要素に作用する場合に、このサイドで、機械的作動部分を完全に不要とすることが可能である。この目的のために、回転磁界が平面磁界としてみなされる。なぜならば回転磁界は、ロータの周囲を取り囲んでいる筐体で発生せず、平面又は円盤型筐体から外部に向かって伸長する。そして進行磁力線から成る「包絡線」を形成する。
【００１２】
本発明に従って、三相電流モータ又はリニアモータの公知の技術が、さもなければステッピングモータが、どのような接触も無く、望ましい運動を伝達するために使用される。そして、どのような場合においても、二つの駆動要素の間で、どのような直接の機械的な接触も無しに、受動式要素又は出力「レシーバ」要素が、順次その運動を直接的に又は間接的にスクリーンに伝達する。
【００１３】
本発明の枠の範囲で、「外部の」駆動要素が、全ての場合に、容易に接近可能で、電源が持つ（ケーブル貫通部等を経由するような）どのような大きな制約も無しに、電源を供給することが出来る要素を意味するのに対して、「内部の」駆動要素は、閉じられた空間に配置されなければならないことを全く意味せず、単に通常、外部から直接の介入が及ばない、そして直接的又は間接的にスクリーンと機械的に連結されることを意味する。
【００１４】
内部駆動要素が、発明に従う好ましい適用のために、それ自身の電源供給なしに運転されるかもしれないが、もしも電源供給が必要であることを証明するならば、又はもしもこの供給が高価な追加経費を必要としないのならば、排除さるものではない。例えば、太陽光電池及び蓄電池を使用して、電源を供給することが可能である。結果として、例えば断熱のガラスを嵌めこんだユニットの窓ガラスの間の内部空間のような、閉じられた空間でさえ、導線のための貫通部を設けることなく、ある量のエネルギーを供給することが、可能となるであろう。
【００１５】
力と運動は、全ての既存の手段でもって、上記で述べたように伝達されても、勿論よい。その結果、冒頭に述べられた本発明のようなカウンタギアによる直接の駆動装置は別として、溝、クイックスタートねじ山又はスピンドルや同様のデバイスによる駆動装置で伝達されてもよい。勿論、本発明に従う解決策は、単純に傾けること／単純な水平の又は斜めの変位／単純な上げ下げのためと、必要に応じて、スクリーンを傾けることおよび変位／上げ下げためとの、両方に適している。
【００１６】
クランクハンドル又はそのような物の機械的な制御手段に代わって、外部駆動要素の接続が、使用者の望みに従って、スクリーン、スラット又はカーテンの作動の望ましい方向に逆行する（既存のモータ化されたスクリーンのような）電気的な制御装置を備えて、ここに作られる。その結果、外部駆動要素に直接接続するための、唯一の電気的な（多極の）接続が要求され、一方、制御装置は、その他のどのような箇所に設置されてもよい。
【００１７】
これは又、数個の同様な作動装置の集中制御を可能にし、例えば、大きなガラスが嵌めこまれた壁の場合に、非常に有益であるかもしれない。
【００１８】
しかし、好ましい三相非同期モータの適用原理は、外部と少なくとも電気的／直流電気の又は機械的な接触のない短絡ロータの使用を可能にしている。
【００１９】
勿論、本発明の範囲からは除外するものではないが、例えば、電源喪失又は制御の、付加的には機械的装置に起こりうる故障の事態において、非常用駆動として本発明に従う作動装置がまた併用される。
【００２０】
この作動装置の最も好ましい用途は、複数のガラスを嵌めこんだユニット、詳細には断熱のガラスを嵌めこんだユニットであり、冒頭で論じた従来技術と同様に、スクリーンが、外部から通常接近できない内部空間に組込まれる。しかし、絵画のためのスクリーンのような、その他の用途が考えられる。スクリーンは、絵画の前のガラスの後ろに置かれ、視界から絵画を隠すことが出来る選択を提供する。一般的に、本発明はまた、磁力線を十分透過する不透明な窓ガラス又は分離している筐体(body)と共に使用することが出来る。
【００２１】
回転磁界装置は、通常、十分なトルクを加えるように、（偏り無しに巻き線の軸を駆動するように、有効な搭載スペースが、ガラス窓を横切る平面に回転磁界装置を搭載することを可能にしない限り、）窓ガラスの一つの表面に予め置かれるけれど、リニアモータを備えた本発明の実施形態は、-対応する有効な空間があり、又は駆動装置が相当する力を供給するならば-例として、複数のガラスを嵌めこんだユニットのスペーサフレームに、また設置されてもよいし、又は上記のフレームに直接一体化されてもよい。この結果、この作動装置は、ガラス窓の両側に必ずしも配置されずに、中間の窓枠で完全に隠してもよい。必要なケーブル接続は、勿論この場合に、窓ガラスの間の内部空間に向かって、（断熱のガラスを嵌めこんだユニットの）窓枠を貫通させてはいけないが、ガラスのための窓枠の溝で及び外部枠に導入されてもよい。
【００２２】
必要に応じて、単機の作動装置によって発生できる力が不十分であれば、内部に及び／又は外部に、数個の駆動要素を有するスクリーンを用意することも可能となるだろうし、例えば、複数の部品のスラットベネチアンブラインドの場合に、調和と同期した運動の実施をすることも可能となる。
【００２３】
本発明の主題のその他の細部と優位性は、例示の実施形態の図と以下の詳細な記述から明白となるだろう。
【００２４】
単純化した表示において、定めたスケールで描かれていない。
【発明を実施するための最良の形態】
【００２５】
図1は、窓枠２の陰に駆動軸４と１組のスラット５を備えたスラットベネチアンブラインドの形をしているスクリーン３を配置した、窓枠２を有するガラス窓１を示す。図は、スラット５が機械的に駆動軸４に接続されることよって、接続するケーブル５Ｓを２重点線で示す。その他の同様な接続は、もし必要ならばスラットの長さに沿って配置されるが、図示された部分では見えない。駆動軸４は、ガラス窓１に隠れて回転するように、詳細には示していない（それ自体公知の）方法で組込まれる。
【００２６】
（例えば端部で接合されて、）見る方向でガラス窓の陰に位置する窓枠２は、それ自体公知の方法で、スラットのための-ここに破線で記号として示されている-ガイドレール２Ｓを包含してもよい。それはガラス窓１の内表面と接触することから、スラットを保護する。窓ガラスの表面が、擦り傷に敏感なコーティング（例えば、断熱／赤外線反射コーティング）を備えている場合は、ガイドレール操作が、特に慎重になる。
【００２７】
ガラス窓１は、例えば断熱ガラスを嵌めこんだユニットのような、複数のガラスを嵌めこんだユニットの一部を、必ずしもではないが、形成してもよい。ガラスを嵌めこんだユニットの第二窓ガラスは、（平行線によって示され、遠近法によって少し位置がずれて、ガラス窓１の上辺左端に沿って、）ここに図示したガラス窓１に平行である。そこで、窓枠２はこれらのガラスを嵌めこんだユニットに、通常のスペーサフレームを形成する。
【００２８】
けれども、ガラス窓１が、絵画の枠を覆っているガラスであってもよい。全ての場合に、スクリーン３は、ガラス窓１を介して光及び／又は視界の通過を変更／制御するようになっている。
【００２９】
スクリーン３のための又はその駆動軸４のための作動装置１０は、ガラス窓１の上辺左側の角に設置される。この装置は、ここに円形で示した二つの駆動要素１１と１３を包含する。
【００３０】
能動式の駆動要素１１は、ガラス窓１の（見える方向の前面の）外部の位置にあるのに対し、単に１点鎖線で示される受動式の駆動要素１３（同様に、出力装置）は、駆動軸４のベアリングの範囲で、同軸上に又はガラス窓１に隠れる同一軸で固定される。
【００３１】
能動式の駆動要素１１は、リバーシブルな面内回転電磁界（その結果、時計回り及び反時計回りに作動することが出来る）を発生するための駆動装置１２を包含する。この駆動装置１２は、円形の破線で示されている。この円形に位置するものは、例えば、適当な活性化によって上記の面内回転磁界を発生する磁気コイルであってもよい。この回転磁界の力線は、駆動要素１３の所まで、ガラス窓１を介して見える方向に沿って拡張し、磁気コイルによって捕獲され、一方それらの回転運動は、破線の円形に沿って伝達する。
【００３２】
装置１２は、ケーブル１４を経由して制御装置１５に接続され、単に記号として図示した電圧供給とスイッチング手段を順次包含する。そして、装置１２によって回転磁界は、述べられた方法で活性化される。制御装置１５は、必ずしもガラス窓のごく接近したところに配置する必要はない。
【００３３】
受動式の駆動要素１３は、詳細には示されていないが、-好ましくはガラス窓と直接に接触しないで-回転磁界によって、リバーシブルで、連続で又は非連続で回転出来て、軸１３Ａとカウンタギア（示されない）を経由して駆動軸３（同様に、リバーシブルで）を回転させることが出来る（容易な回転ベアリングで回転可能な）ロータを包含する。ロータは、面内回転磁界の軸と共に同軸上に据付けられる。このように、もしも、変位又は傾きに対応する機構が提供されるならば、（暗くしたり明るくしたりするための）スラットを傾けること及びスラットを上げ下げすることが可能となる。
【００３４】
その結果、全般的にこの力の伝達装置は、ある種の平面三相モータ（非同期モータ）を形成し、その二つの部品は、（磁界に対し透過性である）固体の窓ガラスによって互いに分離される。内部に置かれた（短絡した）ロータは、それ自体磁石（永久磁石又は電磁石）である必要はない。ただそれは、意図された目的に適切な配置で（例えば、円周に一様に分布する磁気的に短絡した奇数の鉄芯）、磁気的に導体の又は磁化性の材料（一般に軟鉄）から成立たなければならない。それはまた、（ブラシ又はそのような）電気的な供給を必要としなくて、最も簡単な場合に、単なる受動式の機械的な出力要素である。
【００３５】
同様に、内部に設置されたロータは、スクリーンを駆動するための力が必要な場合に、永久磁石又は電磁石を、必要に応じて装備してもよい。
【００３６】
装置１３の回転磁界の回転速度とロータの巻き線の速度との間の差異（すべり）が発生することは、これらの差異がこの駆動原理で当然の避けられないものであるから、また必然的である。
【００３７】
結局、この駆動はまた、電磁界が静止した状態を（少なくとも一時的に）発生することの事実によって、保持力を生じてもよい。
【００３８】
この力の伝達装置は、機械的に作動する外部駆動部品無しで、スクリーン３が据付けられた後で、断熱ガラスを嵌めこんだユニットの永久的に密閉された内部空間の、ガラス窓１のガラスを横切って損耗することなく、回転トルク又は駆動の伝達を供給する。
【００３９】
この回転駆動は、カーテンの又は垂直に吊られたスラットの、前後（水平の）運動に、（従来技術から公知の）この目的のために必要とされる機構が連結される限りにおいて、使用されてもよいことが明白である。
【００４０】
制御装置１５は、分離したスクリーン３の個別の制御の、及び同期して作動する数個のスクリーンの両方のためになるように製作されてもよい。勿論、スクリーンの望ましい位置を予め決定するためのそれぞれの手動制御を別として、対応するスクリーンを自動的に管理することによって、ガラスの嵌められたユニットを暗くするように制御装置１５を有する、例えば、一つ又はそれ以上の、光のあるいは熱の検知器又はタイマ又はそのような物の制御部材１６によって、リモート制御を組合せることも可能である。このように、スクリーン、及びここに述べられこの目的のために準備されたタイプの自動装置を有する大型のガラスを嵌めこまれた表面（壁）を備え付けることさえ可能となるだろう。けれども自動制御の場合でさえ、一つ又はそれ以上のスクリーンのための手動制御を加えて、用意することが可能であってもよい。
【００４１】
変形として、図２は、水平方向に作動するリニアモータ（竪型ステータを有するセグメント化された三相非同期モータ）の原理に従って、線形で作動する駆動装置１０を説明する。しかし、先の実施形態の駆動装置への考慮は、全て適用可能である。移動する外部駆動磁石の代わりに、この場合は、連続的に又は非連続的に伝播する進行波電磁界を発生するための装置１２を有するリニア駆動要素１１がある。リニア駆動要素１１は、例えば、適当な動的駆動によって系列に沿って伝播する磁界を発生することが出来る一連の電磁石のような、竪型ステータとして、成り立っている。磁界は、要求次第で、系列の方向でより長く又はより短くしてもよいし、駆動要素１１が非常に長い場合には、数個の部分に分けることも可能である。
【００４２】
各々スラット５に機械的に連結された２つの短絡ロータが、受動式の駆動要素１３’の１部分としてここに表示される。それらは、並列して設置することは、必ずしも必要ではない。（しかし、単機ロータのみの用意で十分であってもよい。）たとえこれが、２重矢印によって表示されたような、あるズレを持っていても、それらは、装置１２’の前述の進行波磁界よって、遠隔操作で駆動する。窓枠から垂直に懸架され、例えばガイドレール２Ｓによって、水平にガイドされたスラット５は、共にグループ化される場合に、相互に駆動されてもよく、一方、それらを分離するために、接続ケーブル５Ｓを用意することが、再び可能である。さらに、右端に位置するスラットの上の二つの矢印によって表示されるように、スラット５は、適切な機構によって、長て方向の軸に対して、前後に傾けてもよい。
【００４３】
ロータを備えた、２つ以上のスラットがあってもよく、事実、全てのスラットがロータと共に備え付けられてもよく、及び／又は、表示されたような駆動装置１１’又は進行波磁界の装置１２’の全長を越えた区間で、これらのロータを配置することが可能である。その長さを越えて同一方向で数個の進行波磁界を発生すること可能である、このような方法で、進行波磁界の装置を部分に細分化することもまた可能である。そこでスラット５の作動が、進行波磁界を発生している数箇所で同時に開始されても、それにより機械的に分離する部分が無いとしても、どのような込合った状態をも防止される。もしも、ロータの一つ又は全てが停止にいたった場合に、進行波磁界が、即刻遮断されなければ、損傷は発生し得ない。勿論、これは、図１の回転磁界の装置の場合に、同様の方法で、例えば、スラット５が、ブロックで共にグループ化されている場合に適用する。
【００４４】
この駆動装置１０’が、ガラス窓１の側面端部に沿って設置されてもよいことが直ちに理解されるだろう。装置１２’を有する能動式の駆動要素１１’は、この場合に、窓の表面に、側面端部に並列して又は（断熱のガラスを嵌めこんだユニットの場合に）スラットとほぼ同じ平面で窓枠２と並列して設置されてもよい。スペーサフレームの一つの特定の実施形態において、窓枠２の中の装置１２’を有する駆動要素１１’の全体を一体化することさえ可能となろう。それぞれの場合に、ガラス窓１又は窓枠２（又は、代わりに窓枠の壁部分）は、何時も外部駆動要素と内部駆動要素の間にある。このように、断熱のガラスを嵌めこんだユニットのガラスの間の内部空間は、密閉された状態であり、機械的又は電気的な伝達手段による貫通部は必要ないだろう。
【００４５】
ここに再び、図１で示した制御装置に関連する考慮が妥当である制御装置１５が、再びケーブル１４によって装置１２’に接続される。
【００４６】
ガラス窓１は、装飾、開口部、又は固定されたフレームとサポートのような他のどのような特定の要素も無い、単純化した方法で、ここに示される。そしてまた、駆動部品に対して覆いとなる。勿論、駆動部品は、必要に応じて、詳細に提供される。
【図面の簡単な説明】
【００４７】
【図１】図1は、駆動要素が、回転電磁界によって互いに連結する、第一実施形態の部分図である。
【図２】図2は、発生させる駆動トルクが、リニアモータの原理による、第二実施形態を示めす。
【符号の説明】
【００４８】
１    ガラス窓
２    窓枠
２Ｓ    ガイドレール
３    スクリーン
４    駆動軸
５    スラット
５Ｓ    接続ケーブル
１１    駆動要素
１４    ケーブル
１５    制御装置
【図１】
2006016963.tif 000003
【図２】
2006016963.tif 000004
【外国語明細書】
2006016963000001.pdf